(57)【要約】　　　（修正有）【課題】モジュールブロックと、これと協働し土壌構造体又は粒子材料間へ延伸する補強要素を含んでなる改良された擁壁の提供。【解決手段】山を安定させるために壁要素と組み合わせて使用する安定化要素４２であって、横方向に離間し長手方向に延伸する金属製の第１及び第２引張部材と、該第１及び第２引張部材を連結してその横方向の間隔を保持する複数の長手方向に離間した金属製の横材とを含み、前記第１及び第２引張部材と前記複数の横材は梯子のような形状を構成し、安定化要素は、前記壁要素に安定化要素を連結する連結手段であって、前記壁要素に設けられ垂直に延伸するピン、ロッド、バー又はリブと係合する連結手段をさらに含んでなる安定化要素。【選択図】図１
2004132174.tif 000002
【特許請求の範囲】
【請求項１】
山を安定させるために壁要素と組み合わせて使用する安定化要素であって、横方向に離間し長手方向に延伸する金属製の第１及び第２引張部材と、該第１及び第２引張部材を連結してその横方向の間隔を保持する複数の長手方向に離間した金属製の横材とを含み、前記第１及び第２引張部材と前記複数の横材は梯子のような形状を構成し、安定化要素は、前記壁要素に安定化要素を連結する連結手段であって、前記壁要素に設けられ垂直に延伸するピン、ロッド、バー又はリブと係合する連結手段をさらに含んでなる安定化要素。
【請求項２】
前記横材は前記安定化要素の長手方向に直交する請求項１の安定化要素。
【請求項３】
前記安定化要素の前記第１及び第２引張部材は、前記安定化要素の長手方向に延伸するただ２つの引張部材である請求項１又は２の安定化要素。
【請求項４】
前記第１及び第２引張部材と、前記複数の横材と、前記連結手段とを含んでなる前記安定化要素は剛性である請求項１、２又は３の安定化要素。
【請求項５】
前記各安定化要素の前記第１及び第２引張部材は平行なバーである請求項１乃至４のいずれか１つに記載の安定化要素。
【請求項６】
前記連結手段は、前記垂直に延伸するピン、ロッド、バー又はリブに係合する少なくとも１つのほぼ水平なループを含んでなる請求項１乃至５のいずれか１つに記載の安定化要素。
【請求項７】
前記連結手段は、前記第１及び第２引張部材の前端にそれぞれ設けたほぼ水平な第１及び第２ループを含んでなる請求項６の安定化要素。
【請求項８】
前記横材は前記引張部材を越えて横方向に延伸する請求項１乃至７のいずれか１つに記載の安定化要素。
【発明の詳細な説明】
【発明の詳細な説明】
【０００１】
　　技術分野
　本発明は、改良擁壁構造に関し、特に、タイバックや機械的な土補強（安定）要素を締固めた粒子又は土を組み合わせたモジュールブロックから構成される擁壁構造に関する。
【０００２】
　　従来の技術
　米国特許第3,686,873号及び第3,421,326号において、アンリ・ビダル（Henri Vidal）は、近頃よく機械的補強土構造と呼ばれる構造物を開示する。上記特許は、また、擁壁、盛土防護壁、プラットフォーム、基礎等といった機械的に補強された補強土構造の工法を開示する。ビダルの典型的な構造においては、粒子の土材料は、その中に適宜離間して配設された細長い鋼帯といった長い要素と協働する。この要素は一般的にプレキャスト鉄筋コンクリート壁パネルに取り付けられるために並べられ、その組合わせにより、摩擦抵抗を有する盛土及び壁構造を形成する。土構造物内に延伸する長い要素と突き固められた土粒子との間に原則的に摩擦抵抗による相互作用が働く。長い要素はまたタイバックあるいはアンカーとして機能する。
【０００３】
　ビダルが開発した種々の形態は、「REINFORCED EARTH embarkments（補強土盛土）」、「RETAINED EARTH embarkments（擁土盛土）」等の種々の商標の下に市販されている。更に、概してこのような性質を有する別の構造物が開発されている。限定的ではなく、一例を上げれば、米国特許第4,324,508号においてヒルフィカー（Hilfiker）は、背面にワイヤメッシュマットが取り付けられた細長いパネル材であって、該ワイヤメッシュマットが土の塊の中へ突出するパネル材からなる擁壁を開示する。
【０００４】
　ビダル、ヒルフィカー及びその他の者は、概して、機械的に土構造を安定させる帯、マット等と協働する大きなプレキャスト鉄筋コンクリート壁パネル材を開示する。ビダル、ヒルフィカー及びその他の者は、また、種々の形状の壁パネル材を開示、あるいは使用する。ビダル、ヒルフィカーが開示する構造物において、壁パネル又はブロックの背面の締固めた土或は粒子と相互接触する要素は、典型的に剛性の鋼帯板又はマットであり、これらは粒子に対する摩擦作用やアンカー作用に依存する。しかし、究極的には、そういった要素と土又は粒子との間の相互作用は摩擦に依存している。
【０００５】
　ビダル、ヒルフィカーに開示された大きなパネル材の設置に際し、リフト装置等の重機が必要となり、ときには設置が困難あるいはできない場合がある。このような状況においては、パネルより小さなブロックを用いて壁を形成することができる。米国特許第 4,914,876号においてフォルスベーグ（Forsberg）は、土を機械的に補強する要素である可撓性のプラスチックネットと小さな擁壁ブロックとを組み合わせることで機械的補強土擁壁構造を与えている。可撓性プラスチックネットと、積み重ねて壁の列を作る小さなブロックとを用いることにより、そういった壁を築造する際にリフト装置のような重機を用いる必要を減らすことができる。
【０００６】
　他の者は、盛土及び壁を築造するためコンクリート製のアンカーや摩擦ネット材を備える種々の形状の擁壁ブロックを用いることを提案している。この種の市販されている種々の製品の中に、ミネソタ州、ローチェスタのロックウッド・リテイニング・ウォールズ・インク（Rockwood Retaining Walls, inc.）によって提供される製品やウェストブロック・プロダクツ・インク（Westblock Products, Inc.）によって提供されGravity Stoneの商号で販売されている製品がある。
【０００７】
これらの製品に共通する特徴は、埋め戻しの際に使用される種々の擁壁要素であり、この擁壁要素に取り付けられたプラスチック製或は繊維製の補強手段やアンカー手段は埋め戻し土と相互作用をなす。従って、市場で入手でき、あるいは多くの特許その他文献に開示されるそういった多様な組合わせが存在する。
【０００８】
　しかしながら、埋め戻し土にアンカリング（定着）され、あるいは摩擦作用をなすように埋め戻し土中に配設される要素−この要素は擁壁要素、特に、多くの場合に用いられているような大きな擁壁パネルよりも小さくかつ軽量なブロック、に取り付けられてそれと協働する−を用いる改良された装置に対する要求がある。本発明は、この一般的な性質を備える要素の組合わせの改良であり、擁壁及び盛土の築造を容易にし、かつ、メンテナンスやコスト面においても利点を有するものである。
【０００９】
　　発明の開示
　簡単に言えば、本発明は、擁壁を供給するため組み合わされる構成要素を含む。本発明は、また改良された擁壁を築造する構成要素を含む。発明の重要な特徴は、擁壁構造の擁壁要素として用いられるモジュール壁ブロックである。モジュール壁ブロックは、無筋かつ乾式設置とすることができる。ブロックはほぼ平面状の正面（前面）を含むが、所望の仕上げ及び形状が可能である。壁ブロックはまた、互いに合流するように傾斜した両側壁と、ほぼ平行な上面及び下面と、背面と、ブロックのモジュール性を高めるために特にブロックを貫通するように設けた貫通孔（又は路）と、この貫通孔と協働し特定の形状を成す座堀であって種々のタイプのアンカーや土補強要素（土安定要素）をそこに受けてブロックがそれと一体になるための座堀とを含む。特別なコーナーブロックやキャップブロックもまた開示される。
【００１０】
　モジュール壁或は擁壁ブロックその他のブロックと協働する種々の土補強或はアンカー要素もまた開示される。好ましい実施例の土補強要素やアンカー要素は、第１及び第２のほぼ平行な引張ロッド（棒）を有し、これらのロッドは、モジュール壁ブロックから長手方向に延伸し、締固めた土、又は土構造体内へ埋設されるように設計されている。引張ロッドの端部は、モジュール壁又は擁壁ブロックの上面又は下面に形成された座堀に嵌合するように成形されている。傾斜した、或は横方向に交差する材が平行な引張ロッドを接続し、アンカー性能を高めるのみならず引張ロッドと盛土を構成する土又は粒子材料との間に作用する摩擦特性を高める。上述した壁構造は、ほぼ垂直なアンカーロッドを含み、このアンカーロッドは、複数のブロックの貫通孔内を垂直に延伸しかつ土補強要素と係合することにより、土補強要素及びモジュールブロックと相互作用をなす。
【００１１】
　モジュールブロックと協働する代替土補強要素は、ブロックの座堀に嵌合するほぼ平行な複数の引張アームを含みかつ該引張アームをブロックに取り付けるため垂直アンカーロッドと協働するハーネスを含む。このハーネスは、対向する引張アームをモジュールブロックの背面（後面）の外側に隣接する位置において接続する横材を含む。ハーネスのこの横材は、例えば、モジュール壁ブロックの背面の土構造内へ延伸する帯と協働する。ハーネスは、モジュールブロックに形成された路あるいは貫通孔内を延伸する垂直アンカーロッドと協働する。上述した構成要素の種々のその他の代替的な並び換え、組合わせ、構成も設定される。
【００１２】
　従って、本発明の目的は、モジュールブロックと、これと協働し土構造体又は粒子材料内へ延伸する土補強要素を含んでなる改良された擁壁を提供することにある。
【００１３】
　本発明の別の目的は、改良された擁壁構造を築造するために用いる改良された唯一性のモジュールブロック構造提供することにある。
【００１４】
　本発明の更に別の目的は、公知の打ち込み技術を用いて容易に製作できるモジュールブロック構造を提供することにある。
【００１５】
　本発明の更に別の目的は、土補強要素やアンカー要素と組み合わせて用いる実質的に普遍なモジュール壁ブロックを提供することにある。
【００１６】
　本発明の更に別の目的は、モジュール壁或は擁壁ブロックを協働するアースアンカー要素や土補強要素を提供することにある。
【００１７】
　本発明の更に別の目的は、低コストの、優れた、使い易い、かつ、従来の設計や工学的技術をもって使用される擁壁構造体を製作するための組み合わされる構成要素を提供することにある。
【００１８】
　本発明の更に別の目的は、機械的に補強された土構造体又はアンカー壁構造に用いられるモジュールブロックの設計を提供するものであり、このブロックは無筋でもよく、また、乾式設置されあるいはプレキャスト工法によって製作され、、また、剛性又は可撓性の土補強要素と相互作用をなす。
【００１９】
　本発明のこれら及びその他の目的並びに利点や特徴は、以下の詳細な説明において明らかである。
【００２０】
　　好ましい実施例の説明
　一般的な説明
　図１は、組み合わされた構成要素又は要素を示し、これらの組み合わされた要素は本発明の擁壁構造を形成する。モジュールブロック４０は何層かに積み重ねられている。ほぼ剛性の土補強（土安定）要素４２若しくは可撓性の土補強要素４４、又はその両方は、ブロック４０と協働し或は相互作用をなす。また、タイバック要素のようなアンカー要素をブロック４０と協働するように用いることもできる。補強要素又はアンカー要素４２、４４は垂直アンカーロッド４６によってブロック４０に取り付けられる。要素４２や４４は、ブロック４０の背面から締固められた土４８の中へ突出し、締固められた土４８に対してアンカー作用或は摩擦作用を相互になす。
【００２１】
　要素４２、４４と土又は粒子４８との間の相互作用は、究極的には、土を含む粒子４８自身と、要素４２、４４のような要素との相互摩擦力に依存する。従来、この相互作用は、多くの場合、摩擦作用よりもアンカー作用であると考えらてきた。従って、本発明の開示の目的に関しては、補強要素やアンカー要素に対する締固め土４８の摩擦及びアンカー作用の両作用が本発明の範囲に含まれると考える。
【００２２】
　本発明は、ブロック４０、補強要素４２、４４、アンカーロッド４６、土４８を含む上述した構成要素や別の説明した構成要素の組合わせ物を含み、また、そういった構成要素及びその代替要素の組立て方法及び製造方法を含む。これらの種々の構成要素、組合わせ、及び方法を以下に説明する。
【００２３】
　擁壁ブロック構造
　図２、図５乃至図１３，１３Ａ、図３０乃至３６Ａ、図４４及び図４５は、標準的なモジュール擁壁ブロック４０及び種々のその他のブロックの構造を詳細に示す。図２と、図５乃至７は、本発明に関係する基本モジュールブロック４０を示す。図３０、３１は、また、図２の基本モジュールブロック４０と関連する。その他の図は、他のブロック構造に関係する。
【００２４】
　標準モジュールブロック
　図２及び図５乃至７に示すように、標準モジュールブロック４０は、ほぼ平面的な正面（前面）５０を有する。正面５０は、その好ましい態様にあっては、製造後において意匠的にきれいなテクスチュアを有しているが、このようなテクスチュアは正面５０を限定する要素ではない。正面５０は、プレキャストされたパターンを有することとしてもよい。パターンは凹凸のあるものでもよく、その他の打ち込み（キャスト）あるいは鋳造でも良い。ブロック４０は原則的に打ち込み技術を用いて製造されるので、正面５０の形状、テクスチュア等の多様性は一般的に発明の特徴を限定するものではない。
【００２５】
　正面５０は、しかしながら、図１に示すように、モジュールブロックから形成される壁の外観を決定する。従って、正面５０はほぼ正方形の正面立面を形成し、また、ブロック４０は典型的に打ち込み技術を用いて製造されるので、正面５０の各寸法は、一般に標準のコンクリートブロックの寸法と同じである。しかし、この寸法（サイズ）は、本発明を限定する要素ではない。
【００２６】
　背面（後面）５２は正面（前面）５０からほぼ平行に離間する。背面５２は、互いに近づくように傾斜した側壁５４、５６によって正面５０に接続されている。この傾斜はほぼ均一であり、またブロック４０の両側壁とも同じである。傾斜は、正面の縁５１、５３から始めることができ、あるいは正面５０から背面５２の方へある距離隔てた位置から始めることもできる。傾斜は、１つの平面、或は、多数の平面又は曲面から形成される。傾斜角は、発明の好ましい態様においては、ほぼ7°から１５°の範囲にあり、０°から約３０°の範囲で使用可能である。
【００２７】
　ブロック４０の厚み、即ち、正面５０と背面５２との間の距離は技術的及び構造的な要素を考慮して変更可能である。コンクリートブロックの一般的な寸法は、ブロック４０のプレキャスト或はドライキャスト装置によって決まってくる。
【００２８】
従って、例えば、正面５０の寸法が１６インチ幅、８インチ高であれば、背面の幅は１２インチ、奥行き（面５０と５２の距離）は約８インチ、１０インチ又は１２インチとなる。
【００２９】
　図示の実施例では側壁５４、５６もまた背面５２と同様に長方形である。平行な上面５８と底面６０はそれぞれ台形であり、面５０、５２及び壁５４、５６と交差する。好ましい実施例においては、面５８、６０は合同であり、かつ、互いに平行であり、また、正面５０及び背面５２に対してほぼ直角をなす。
【００３０】
　ブロック４０は、第１の垂直な路即ち貫通孔６２と、第２の垂直路即ち貫通孔６４とを備える。貫通孔６２、６４は、互いにほぼ平行であり、面５８と６０との間に延伸する。図５示すように、貫通孔６２、６４の断面形状は、好ましくは、孔の全長に渡って均一である。貫通孔６２、６４は、それぞれ中心軸６６、６８を有する。貫通孔６２、６４の断面形状は実質的に同一であり、細長い形状或は楕円形である。貫通孔６２、６４、特にこれらの孔の軸６６、６８は、正面５０の側縁５１、５３に対して正確に位置決めされる。側縁５１、５３は、それぞれ、側壁５４と正面５０とが交わる部分、側壁５６と正面５０とが交わる部分で決定される。軸６６は、側縁５１と５３との間の距離の１／４に等しい距離だけ横方向に縁５３から離れている。軸６８は、側縁５１と５３との間の距離の１／４に等しい距離だけ横方向に縁５１から離れている。従って、軸６６、６８は、これらの軸がそれぞれ側縁５３、５１から離れた距離の合計に等しい距離をもって互いに離間している。
【００３１】
　貫通孔６２、６４は、正面５０と平面５２の間であって、両平面間の距離の１／４に等しい距離だけ正面から背面に寄った位置に配設されている。しかしながら、この位置は、ブロック４０に関する工学的その他構造的要素を考慮して変更することができる。以下に説明するように、貫通孔６２、６４に嵌合するアンカーロッド４６が貫通孔６２、６４の背面５２に最も近い面に係合するとき、圧縮力はブロック４０に生じる。この力は、一般的に、ブロック４０を構成する材料に作用する圧縮力である。従って、ブロック４０の一体性が維持されるような方法で圧縮力がブロック４０に生じるように貫通孔６２、６４を適正位置に配設することが、構造解析の見地から、必要となる。
【００３２】
　貫通孔６２に対して座堀７０が設けられており、同様に貫通孔６４に対して座堀７２が設けられている。最初に座堀７０について述べると、座堀７０は面５８に形成され、背面５２か貫通孔６２まで、かつ、貫通孔の回りまで延伸する。重要なことは、座堀７０は、通孔６２と背面５２との間に通路を形成し、この通路内に以下に説明する引張材が貫通孔６２内に配設されるロッド４６のような要素に対して直交して配設されるようにすることである。
【００３３】
　同様にして、座堀７２は面５８において、背面５２か貫通孔６４の回りまで延伸する。好ましい実施例においては、座堀７０、７２は、すべてのブロック４０に対してその上面５８に均一に設けられている。しかしながら、これらの座堀を底面６０に、、或は両方の面５８、６０に設けることも可能である。ブロック４０はひっくり返すことも可能であるので、上面５８と底面６０とをひっくり返して上下位置を変えることが可能であることに留意されたい。まとめると、座堀７０、７２は、それぞれ、貫通孔６２、６４と交わり、これらの貫通孔のための座堀を構成する。
【００３４】
　好ましい実施例においては、長方形断面の通路７４は、貫通孔６２、６４に平行に上面５８から底面まで延伸する。通路７４は、ブロック４０の構造的な一体性を損なうことなくブロックの重量及び堆積を減ずるために設けられている。通路７４は、また、座堀７０、７２を繋ぐ横方向の座堀を形成している。通路７４は、必ずしもブロックに必要なものではない。通路７４の形状、向き、長さ、幅は、ブロック４０を部分的に取り除き、或は体積を減ずるためにかなり変えることができる。
【００３５】
　貫通孔６２、６４の断面形状は変えることができる。重要なことは、貫通孔６２、６４の断面形状は、例えば貫通孔６２、６４に挿入されるアンカーロッド４６に対するブロック４０の横方向の移動を許容する。従って、図示の実施例における背面５２に平行な方向の貫通孔６２、６４の寸法はロッド４６の直径よりも大きくなるように選択される。貫通孔６２、６４の横方向（正面から背面に向かう方向）の寸法はロッド４６の直径とほとんど同じであるので、ブロック４０は、正面から背面の方向には移動せず、位置がずれない。即ち、貫通孔６２、６４のサイズ及び形状がそのようになっているので、段に重ねられたブロックの各ブロック４０の正面５０は一直線上にある。従って、ブロック４０は、図１に示すタイプの壁を築造する際に、内側或は外側方向には大きくは調整できないが、横方向に調整することが可能である。このことは擁壁を構成する構造体の平面的一体性を維持し、ブロック４０の所望のほぼ平面的な配列を維持する。横方向の調整ができることにより、ブロック４０間の隙間を最少に維持することができ、また、以下に説明するように、内側或は外側に湾曲した壁構造の形成に必要な種々の調整が可能となる。
【００３６】
　貫通孔７０、７２の深さは変えることができる。この深さは、好ましくは、要素４２、４４が少なくとも面５８の高さよりも低く保持されるような適正なものであり、従って、下の段のブロックの上に次のブロックが積まれたときに、要素４２、４４が上の段のブロック４０と干渉しないように適当に下がった位置に配設される。
【００３７】
　図３０、３１に簡単に言及して図２及び５の標準モジュールブロックを製造する方法を説明する。一般的に、そういったブロックは、ドライキャスト技術を用いてペアで打ち込まれ、ブロックの正面が図３０に示す分割線７５のような分割線に関して互いに反対側になるように打ち込まれる。ブロック４０が打ち込まれた後に、楔あるいははさみを用いて２つのブロック４０を切り離す。その際、図３１に示すテクスチュアの面が現れる。そういった打ち込みに関して当業者に知られている適当な抜け勾配を型枠に設けている。ドライキャストブロック４０は一般的に無筋であることに留意されたい。しかしながら、ドライキャストブロックは補強繊維を含むことが可能である。無筋であること、及び金属性やほぼ剛性の土補強要素と共に用いるブロック４０のドライキャスト技術による製造は従来技術において知られていない。
【００３８】
　コーナブロック、分割面ブロック
　図８乃至１３Ａ、及び図３２乃至３６Ａは、本発明の改良型擁壁構造のコーナやキャップを形成するために用いられ、或はその様な擁壁における境界や分割面を形成するために用いられるブロックを示す。図８、９、１０は、第１のコーナブロック８０を示す。このコーナブロックは図１１、１２、１３のコーナブロック及び図１３Ａのコーナブロック１１０に似ているが、寸法が異なる。
【００３９】
　図８、９、１０に言及すれば、コーナブロック８０は、正面８２と、背面８４と、仕上げを施した側面８６と、仕上げをしていない側面８８とを含む。上面９０は底面９２と平行である。これらの面は実質的に長方体を形成する。正面８２と仕上げがなされた側面８６はほぼ平面であり、ブロック４０の表面処理に適したテクスチュア、色、成分及び形状となるように仕上げがなされる。コーナブロック８０は、上面９０から底面９２まで延伸する第１の貫通孔９４を含む。貫通孔９４は、ほぼ円筒形であるが、以下に説明するロッド４６のようなロッドとの協働を高めるため、じょうご状、或は、切頭円錐形９６とすることもできる。
【００４０】
　貫通孔９４の断面積は、貫通孔９４に挿入されるように設計されたロッド４６のようなロッドの面積よりも僅かに大きい。貫通孔９４とこれと協働するロッド４６のようなロッドの断面形状は、ロッド４６が一旦貫通孔９４に挿入された際にコーナブロック８０の位置や方向を変えることがないようにほぼ一致しているということが重要である。
【００４１】
　面８２、８４、８６に対する第１の貫通孔９４の位置は、コーナブロック８０の設計における重要な要素である。即ち、貫通孔９４の軸線９８は面８２、８４、８６から実質的に等しい距離にあり、従って、図８のｘ、ｙ、ｚは実質的に等しい。ここで、ｘは軸線９８と面８２との間の距離、ｙは軸線９８と面８４との間の距離、ｚは軸線９８と面８６との間の距離である。
【００４２】
　コーナブロック８０は、更に、上面９０から底面９２へ延伸する第２の貫通孔１００を含む。第２の貫通孔１００にじょうご状或は切頭円錐形１０４を設けることとしても良い。貫通孔１００の断面は一般的に細長い形状或は楕円形であり、ほぼ中心に軸心１０２を有し、軸心１０２は面８２、８４、８６、８８に平行である。第２の貫通孔１００断面の長手方向は、ほぼ正面８２に平行である。軸心１０２は側面８８及び正面８２に対して特別な位置にある。即ち、軸心１０２は面８２から距離ｗ隔てており、この距離ｗは図５において軸心６６がブロック４０の正面５０から隔たる距離ｗに実質的に等しい。軸心１０２は、また、仕上げのない側面８８から距離ｖ隔てて位置し、この距離ｖは図５において軸心６６がブロック４０の縁５３から隔たる距離ｃに実質的に等しい。座堀１０３を貫通孔１００に設けることとしても良い。座堀１０３は背面８４から孔１００の回りまで延伸する。上面９０と下面９２の両方に座堀１０３を設けることとしてもよい。
【００４３】
　図８に示すコーナブロック８０の軸心１０２と９８との間の距離ｕは、図５におけるブロック４０の軸心６６と６８との間の距離ｕに等しい。距離ｕは、距離ｖのほぼ２倍に等しい。軸心１０２と側面８８との間の距離ｖは、軸線９８と側面８６との間の距離ｚに実質的に等しい。上記種々のブロック４０、８０、１１０の色々な距離関係は次の表１にまとめられる。
【００４４】
　　　　　　　　　　　　表　１
　　　　ブロック４０に関し、　　　　2v = u
　　　　コーナブロック８０に関し、　x = y = z
　　　　　　　　　　　　　　　　　　 x + y = u
　　　　　　　　　　　　　　　　　　 v + z = u
　　　　コーナブロック１１０に関し、a = b = c
　　　　　　　　　　　　　　　　　　 d = V + c
　図８、９、１０のコーナブロック８０は、その正面８２の寸法がブロック４０の正面５０にほぼ等しいコーナブロックであることに留意されたい。図１１、１２、１３は代替コーナブロック構造を示し、その正面及び仕上げがなされた側面は図８、９、１０のコーナブロック８０のものと寸法が異なる。
【００４５】
　図１１、１２、１３に言及すれば、コーナブロック１１０は、正面１１２、背面１１４、仕上げがされた側面１１６、仕上げがされていない側面１１８、並びに平行な上面１２０及び下面１２２を有する。ブロック１１０は、ブロック８０と同様な直方体形状を呈している。ブロック１１０は、先に説明した第１の貫通孔９４と実質的に同じ形状であり、切頭円錐形部１２６及び軸心１２８を有する第１の貫通孔１２４を含む。同様に、ブロック１１０は、軸線１３２を有する第２の貫通孔であって、第２の貫通孔１００の断面形状と実質的に同一な断面形状を有しまた切頭円錐形又はじょうご状部分１３４を備える第２の貫通孔１３０を有する。また、座堀１３１を上下の両面１２０、１２２に設けることができる。正面１１２及び仕上げ側面１１６は、正面５０に関して前述した所望の態様で仕上げがなされる。正面１１２は図１３に示す高さｈを有し、この高さｈは、図７に示すブロック４０の高さｈ及び図１０に示すブロック８０の高さｈに等しい。
【００４６】
　軸心１２８は、ここでも、図１１に示すように、面１１２、１１６、１１４から等しい距離隔たる。従って、面１１２から軸心１２８までの距離ａは、面１１４から軸心１２８までの距離ｂに等しく、また、面１１６から軸心１２８までの距離ｃに等しい。軸心１３２は正面１１２から距離ｗ隔たり、この距離ｗは、ここでも、図５に示すブロック４０の正面５０から軸心６６が隔たる距離ｗに等しい。同様に、軸心１３２は、しあげのない側面１１８から距離ｖ隔たり、この距離ｖは図５に示すブロック４０と関連する距離ｃに等しい。図１１においてｄで示す軸心１３２と軸心１２８との間の距離は、軸心１３２と面１１８との間の距離ｖに軸心１２８と仕上げ側面１１６との間の距離ｃを加えたものに等しい。ここでのこれらの寸法の関係は表１に示される。
【００４７】
　図１３Ａは、裏返し可能なコーナブロックであって、図１１の実施例の貫通孔１２４、１３０と同じ機能を果たすＬ型断面の貫通孔９９、１０１を備えるコーナブロックの形状を示す。従って、孔９９、１０１はそれぞれ、図１１のコーナブロックの軸心１２８に等しい軸心１２８ａと、図１１の軸心１３２に等しい第２の軸心１３２ａとを有する。
【００４８】
　本発明の範囲に含まれる他の代替ブロック構造も可能であり、いくつかの変形例や代替案を以下に説明する。しかしながら、先に述べたブロック４０やコーナブロック８０、１１０は、本発明の好ましい実施例を遂行するために原則的にモジュールブロックである。
【００４９】
　補強要素
　擁壁構造の第２の主な構成要素は、ブロック４０、８０、１１０、特に基本ブロック４０と相互作用を行い協働する補強要素である。図１４乃至１７は種々の補強要素を示す。最初に図１４に言及し、本図に第１のバー１４０と第２のバー１４２とを含んでなる補強要素４２を示す。バー１４０、１４２は、それぞれ、その内端にループ１４４、１４６を備える。バー１４０、１４２はループ１４４、１４６を形成するために曲げ加工され、ループ１４４、１４６の端部はバー１４０、１４２に溶接される。
【００５０】
　各ループ１４４、１４６は、バー１４０、１４２によって形成される引張（テンション）アーム１４８、１５０に接続される。テンションアーム１４８、１５０は互いに平行であり、先に説明したいずれのブロックの背面から突き出る長さである。第１の横（交差）材１５２は、ブロック４０の背面より背後に位置して設けられアーム１４８、１５０を連結し、これらの間隔を保持しまっすぐにする。第２の横材１５４は、バー１４０、１４２やアーム１４８、１５０がほぼ平行になるようにする。
【００５１】
　多くの横材１５４、１５６がバー１４０、１４２の全長に渡って設けられている。横材１５４、１５６の間隔は、好ましくは、基本的に摩擦に基づく機械的土補強構造の原則に従いほぼ一定である。しかしながら、このことは限定的な特徴ではなく、また、補強要素がむしろアンカーであると考えられるならば、横材１５６の他の横材１５６に対する間隔は、好ましくは、いわゆる受動領域或は抵抗領域において、前方の横材１５４に対する間隔よりも狭い等しい間隔にすると良い。この場合、バーと横材１５２、１５４はそれほど近接して設ける必要はなく、また、バー１４０、１４２が実質的に平行に配列されるならばそれほど長くする必要はない。
【００５２】
　好ましい実施例においては、２本のバー１４０、１４２を設けるだけで良い。しかしながら、１又はそれ以上の長い部材（例えば、バー１４０、１４２）を備える補強要素を使用できる。図１４に示され説明される補強要素は摩擦作用を期待するものであるが、同時に締固めた土に対するアンカー作用をも期待できるものである。複数の横材１５６は、従って、アンカーの集合として作用すると考えることができる。好ましい実施例においては、バー１４０、１４２及び横材１５６は締固めた土と摩擦作用をなす。
【００５３】
　図１５は、補強要素４４の更に別の代替案を示す。特に図に示す要素は、第１のテンションバー或はアーム１６２と第２のバー或はアーム１６４とを含むハーネス（引き具）或はコネクタ１６０を含む。アーム１６２と１６４はほぼ平行であり横材１６６で連結されている。横材１６６は、実施例においては、横材に取り付けた円筒部材１６８を備える。図１５Ａに示すＣ型のクランプ材１６７を横材１６６に対して上から嵌合することとしても良い。
【００５４】
　平行なテンションアーム１６２、１６４はループ１７０、１７２で終る。ループ１７０、１７２は、図１５に示すように、反対位置となるように配設され、また、一直線上にある。ループ１７０、１７２の端部は溶接部１７４、１７６において、それぞれアーム１６２、１６４に溶接されている。
【００５５】
　ハーネス又はコネクタ１６０は、更に詳細に説明するように、ブロック、特にブロック４０と協働する。詳細を部分的に図１６及び１７に示す。最初に図１６に言及すれば、図１６に補強要素４２を示す。図１７は補強要素４４を示す。図１６において、要素４２、更に詳しく言えば、テンションアーム１４８、１５０は、そのループ１４４、１４６をそれぞれ貫通孔６４、６２に位置させてブロック４０の座堀７２、７０内に配設されている。
【００５６】
　図１７において、補強要素４４に連結されたコネクタ１６０は、ブロック４０の座堀７０、７２に嵌合されるアーム１６２、１６４であって、そのアームのループ１７０、１７２が貫通孔６２、６４に嵌合されるアームを含む。コネクタ１６０は、ブロックの上面５８から下がった位置に置かれるように十分切り欠かれたブロック内に配設される。同様に、要素４４のテンションアーム１４８、１５０は、ブロック４０の上面５８より低い位置に置かれるのに十分な座堀内に配設される。
【００５７】
　再び図１７において、要素４４は、更に、ジオテキスタイル（安定用繊維）材料を含んでなり、このジオテキスタイル材料は、可撓性である帯１８０のようなラチス状のポリマー製の帯からなる。このジオテキスタイル材料は円筒１６８又はクランプ１６７に掛け回されており、材料の両端ははブロック４０から隔たるように外側へ延伸する。図１６は剛性要素を示す。図１７は可撓性要素を示す。いずれの場合も、要素４２、４４は先に説明したようにブロック４０と協働する。
【００５８】
　コネクタ
　図４は、典型的なコネクタを示す。コネクタは補強ロッド又はバーであり、通常は円柱形の鉄筋４６であり、例えば、図１７に示すループ１７０、１７２及びこれと協働するブロック４０の貫通孔６２、６４に挿入されて、要素４４、特に詳しく言うならば、コネクタ１６０をブロック４０に係合する役目を果たす。好ましい実施例として示されるロッド４６は、上述したように円柱形である。しかし、所望のサイズのものが使用される。鉄筋（発明の実施には鉄筋が推奨される）は、コーナブロック８０、１１０の第１の貫通孔９４、１２４に使用される。例えば、図１２のコーナブロック１１０の第１の貫通孔１２４は、図４に示すロッド４６のようなロッドと協働する。ロッド４６は、積み重ねる少なくとも２段のブロック４０を突き抜けるように十分長く、従って、ブロック４０と協働する要素４４から生じる圧縮力を壁を形成している隣り合う段のブロックに分配する。
【００５９】
　図４Ａに示すように、ロッド４６の中間点に小さなストッパ又はクロスバー４７を溶接等により取り付けることとしても良い。クロスバー４７により、ロッド４６は、ブロック４０の上又は下の位置（この位置にロッド４６は要素４２、４４と協働するために置かれる）においてブロック４０と係合し正しい位置に位置決めされかつ保持される。従って、ロッド４６は貫通孔６２、６４内へ落下したり滑り落ちたりすることがない。
【００６０】
　擁壁構造
　図１８乃至２９は、今まで説明してきた、擁壁を築造するための構成要素の組立て方を示す。最初に図１８において、本発明の構成要素を用いた壁の一部であって、モジュールブロック４０とコーナブロック８０を用いて３段に形成した壁部分を示す。ブロック４０をオーバラップさせて積み重ねていることに注意されたい。コーナブロック８０の正面のサイズはモジュールブロック４０の正面のサイズに等しいことにも注意されたい。コーナブロック８０の側面のサイズはモジュールブロック４０のサイズの半分に等しい。
【００６１】
　図１９は、図１８の水平断面を示し、図１８に示す壁の第１段目を構成するコーナブロック８０とモジュール基本ブロック４０との位置関係を示す。要素４２−これは剛性の補強要素である−は、ブロック４０と協働するように配設されることに注意されたい。好ましい実施例においては、補強要素４２はすべてのモジュールブロック４０に対して用いられ、また、要素４２は２つの平行な補強筋を含む。補強筋を多数としても良く、また、補強筋に特別なアンカー要素を取り付けることもできる。好ましい実施例においては、費用の点から２本だけ使用し、また２本使用することで、引張力及びアンカー作用力が要素４２に効果的に分配され、また、ねじり力を減少することができる。
【００６２】
　図２０は、図１８に示す壁の縁或はコーナを形成するために配置されうるコーナブロック８０を示す。従って、ブロック８０−これは先に説明したようにまったく対称である−は図１９の位置と図２０の位置とに変換することができる。更に、コーナブロック８０は図２７乃至２９において示しかつ説明する位置にすることができる。可撓性のポリマー材料又はジオテキスタイル材料の補強要素４４も図２０に示すブロック４０の段に用いられうる。
【００６３】
　図２１は、図１８の壁構造の横断面図である。当業者に公知であるように、そういった壁の建設や分析は、抵抗領域（resistive zone）１９０及び活動領域（active zone）１９２を決定する必要がある。先に説明したように、クロスメンバー（横材）１５６は抵抗領域においては近接していることが好ましいが、このように限定する必要はない。
【００６４】
　図２１は、また、格子状にしたポリーマ材１８０の使用を示す。要素４２、４４はすべて、先に言及した従来技術の特許に開示される方法で締固めた土の中に保持されることに留意されたい。
【００６５】
　図２１は、また、要素４２、４４といった補強要素のブロック４０、８０の各段に関連する変位を示す。しかしながら、補強要素４２、４４は、実際には、例えば、ブロック４０、８０の２段、３段又は４段毎に用いることもでき、また、設計に従い、いくつかのブロックおきに、例えば、水平方向にブロック１つおき又は２つおきに用いることもできる。このことは、安定要素（補強要素）４２、４４を各段及び各水平位置のすべてのブロック４０、８０に対して使用することを妨げるものではない。すべてのブロックに土安定要素を取り付けて土を補強する必要の無いことがわかっている。これに関する計算は、先に言及した先行技術の当業者に知られる方法を用いて行なうことができる。
【００６６】
　建設の際、ブロック４０の最初の段を、砂利、敷土、コンクリートその他のレベル出し材料からなる所望のフーチング２００に直線上に載せる。次に、ブロック４０の背後に盛土２０２を行なう。補強要素４２のような要素を、前に説明したブロック４０、８０に特に設けた座堀７０、７２内に置く。層状のシーラント、繊維その他の材料（図示省略）をブロックの上に置くこととしても良い。その後、ロッド４６上にブロック４０を一段置く。さらに土２０２をブロック４０の背後で埋め戻す。こういった作業をを繰り返して壁を築造する。
【００６７】
　実際、座堀７０、７２を上方に向けるよりも下方に向けた方が良いことが判明した。下方に向けることで、施工の際に座堀７０、７２内に不要なものが入らない。
【００６８】
　図２２、２３はそれぞれ、可撓性補強要素４４又は合成補強要素４２を用いた構造の側面図である。いずれの場合においても、補強要素４２、４４は、先に説明したようにブロック４０、ロッド４６及び締固め土と協働する。
【００６９】
　次に図２４、２５に言及すれば、先に述べたように、ブロック４０に設けた貫通孔６２、６４は細長の断面形状である。このように細長に設けることで、ブロック４０を互いに僅かながら横方向に位置調整することが可能であり、ブロック４０の製品許容誤差を吸収できる。ブロック４０は互いに近づくように傾斜した両側面５４、５６を有することに留意されたい。側面５４、５６は接近するように傾斜しているので、図２４に示すように外側に湾曲した壁或は図２５に示すように内側に湾曲した壁を形成することが可能である。いずれの場合であっても、組立て様式や、補強要素４２、４４とロッド４６とブロック４０の協働作用は、先に説明した平らな正面の擁壁と実質的に同じである。
【００７０】
　図２６は、本発明の構成の多才性を示すものである。種々の形状、寸法及び高さの壁の建設が可能である。本発明の構成要素組合わせに関し、壁の正面は実質的に平らであり、かつ、フーチングから実質的に垂直に立上がることができる。壁をセットバックさせること、即ち、壁を上に行くに従って後退させることも可能であるが、そのような要求は本発明の擁壁には必要ない。また、フーチングは段に積み重ねることとしてもよい。また、ブロック４０は乾式設置とすることができ、ジオテキスタイル材料と対照的に、要素４２のような剛性補強要素と組み合わせて用いることができる。
【００７１】
　図２７、２８、２９は、図２６に示すタイプの従来の壁にスリップジョイントを与えるコーナブロックを使用する場合を示す。図２７に示すように、壁部分２１２と２１４との間にスリップジョイント、即ち、垂直スロット２１０を形成する。壁部分２１２、２１４の断面を図２８、２９に示す。これらの図に見られるように、右方向或は左方向に回転されたコーナブロック８０、８０は、互いに適宜隣接して離間されている。繊維その他のをブロック８０、８０の背面に配設し、その後、可撓性材料２１６のところを埋め戻し材料２０２で埋め戻す。
【００７２】
　図２９は、上の段に用いられる、可撓性バリアー２１６及びブロック８０を含むこれらの要素の構成を示す。コーナブロック８０（又は１１０）の第１の貫通孔９４は、ブロックが積まれたとき、常に、垂直に一直線上に位置する。従って、ロッド４６は垂直線上の複数の第１の貫通孔９４を通り堅固に一体化したコーナを形成する。コーナは、ブロック４０の貫通孔６２、６４或はブロック８０の第２の貫通孔１００が有する調整用の遊びを有さない。貫通孔９４は壁の組立てを容易にする。ブロック８０に製造の際に分割用ライン８１を設けることとしても良い。ライン８１によりブロック８０を容易に割り、図２８に示すように内側半分を取り除くことが可能となる。
【００７３】
　図３２、３３、３４は、複数のコーナブロック８０を打ち込む可能な方法を示す。例えば ４つのコーナブロック８０を一時に打設することができ、このとき、コーナブロック８０の面８２、８５は分割ライン１８２、１８５に添うように配設され、そのため図３２に示すように４つ或は図３４に示すように２つのコーナブロック８０が同時に打設されるように型枠は構成されている。コーナブロック塊は、次に、図３３に示すように、型に入れて作った分割ラインに添って４つ（又は２つ）のコーナブロック８０に分割される。
【００７４】
　補強要素４２、４４は、また、コーナブロック８０、１１０の座堀１０３、１３１と協働する。実際上、壁のコーナを安定させるためにそういった構造を提案するものである。このように補強要素４２、４４は、コーナブロック８０、１１０の座堀１０３、１３１及びモジュールブロック４０の座堀７０又は７２と同時に協働する。
【００７５】
　上述した構成要素を上述した構成態様で組み立てることで本発明の好ましい実施を構成する。標準モジュールブロック４０及びコーナブロック８０は、種々のタイプの補強要素を備えかつ使用材料の数量の計算に種々のタイプの分析を使用する擁壁に組み立てられる。補強要素は、締固めた土等に対して摩擦作用のみならずアンカー作用をも有する。先に説明した補強要素の他、多様な補強要素が存在し、これらは本発明に使用できる。
【００７６】
　例えば、補強要素は、締固めた土の中に延伸する２本又はそれ以上の平行な鉄筋を備える鉄筋のマットとすることができる。垂直ロッド４６と協働するこれらの鉄筋の端部にループを形成することに代えて、該端部を単に直角に曲げることによりブロック４０を介して貫通孔６２、６４と係合させてマット或は鉄筋を所定位置に保持することもできる。更に、ロッド４６を貫通孔内において直接テンションアームに溶接することとしてもよく、そうすれば、テンションアームの端部にループを形成する必要はない。
【００７７】
　２本のテンションアーム、即ち２本の鉄筋を使用することは好ましい実施例ではあるが、多数のテンションアームを用いることもできる。更に、先に指摘したように、コーナブロックの相対的なサイズを変えることもできる。ロッド４６の形状も変えることができる。ロッド４６のアタッチメントも変えることができる。
【００７８】
　また、キャップ（笠木）ブロック２５０は図３６、３６Ａに示すように設けられる。キャップブロック２５０は、モジュールブロック４０の水平断面形状と同じようにすることができるが、横方向の寸法が長く、また４つの貫通孔２５２を備える。これらの孔はペアでもって貫通孔６２、６４に対応する。キャップブロック２５０は図３６Ａに示すように次に向きを反対側にしてもよく、ロッド４６に孔２５２の適宜ペアを係合させる。孔２５２をモルタル詰めすることによりキャップブロック２５０は位置決めされる。キャップブロック２５０もまた、図３６Ａに示すようにコーナを形成するため、２つの片２５４、２５６となるように半分に分割することができる。キャップブロックの代替構造として、最上段のブロック４０から突出するロッド４６を受ける細長孔を下面に有する長方形ブロックとすることができる。その他の代替構造も可能である。
【００７９】
　補強要素の更に別の代替構造を図３７に示す。この構造において、テンションアーム２６０、２６２と横材２６４はクランプ２６６と協働し、このクランプは、メタルストリップ２７０を保持するボルト２６８を受ける。ストリップ２７０は摩擦ストリップとして働くか、アンカー（図示省略）に繋がれるように設計されている。
【００８０】
　図３８は、別の代替構造の補強要素２８０とその要素のブロック４０への係合を示す。要素２８０は、横材２８２の付いた平行なテンションアーム２８１、２８３を含む。横材２８２は、座堀７０、７２との間に通路７４によって形成される空間と嵌合する。通路７４を形成する壁の形状は、補強要素２８０とｂブロック４０との相互作用の効果を最大にするように形成される。
【００８１】
　図３９は、更に別の代替構造を示すものであり、ここではブロック４０は、中間通路７４からブロック４０の背面５２に通じる通路２９０を有する。帯２９２のような補強要素は通路２９０に挿入されて帯２９２に形成された開口を通るピン２９４によって保持される。帯２９２は、アンカー（図示省略）あるいは摩擦帯板に連結される。ロッド４６はブロック４０の組立てに用いる。
【００８２】
　図４０及び４１は、アンカータイプの補強要素と組合わせるブロック４０を含む壁構造を示す。アンカータイプの補強要素は、先に説明した要素４２に似た両端が係止される引張要素を含む。要素３００はその両端で垂直ロッド４６によりブロック４０に堅結される。ブロック４０は、外側壁３０２と、要素３００によって連結された内側アンカー３０４とを形成する。アンカー３０４は、締固めた土３０５の中に埋められる。土の侵食を防止するために外側壁３０２の内面に繊維室ライナー３０６を裏打ちすることとしても良い。
【００８３】
　図４２、４３及び４４は、補強要素３０２及びそれをブロック４０に連結する部材の更に別の代替構造を示す。図３８は、図４２、４３、４４に機能的に関連するので、この図についても言及する。図４２は、第１及び第２の平行なアーム３０４、３０５を有する補強要素３０３とブロック４０とを示す。アーム３０４、３０５は、連続する鉄筋棒から形成され、端部にループ３０６を形成しており、このループは連結された座堀７０と７２の間に形成されたリブ３０８に係合する。これは図３８に示す構造に類似する。平行なアーム又は棒３０４、３０５は、トラスタイプの構造をなすようにこれらの棒３０４、３０５に対して角度をなす横材３０７、３０９によって互いに連結されている。アーム３０４、３０５の端部は、横方向に垂直な横材又は横ブレース３１０によって連結することとしてもよい。
【００８４】
　図４３に更に別の代替構造を示し、この例においても、補強要素３１２は平行なアーム３１４、３１６を有しており、ブロック４０に形成されたリブ３２０と協働するほぼＶ字型の端部３１８を有する対称形の閉ループを形成している。横材３２２はトラスタイプの形状を成すようにアームに対して角度をなす。端部３１８の反対側の端部もＶ字型であり、これにより、補強要素３１２全体がほぼ対称形である。補強要素３１２は、希望により、対称形あるいは非対称形にすることができる。
【００８５】
　図４４は、図４３の変形例を示し、補強要素３２４はアーム３２６、３２８を含む。アーム３２６、３２８は、先に説明したように、ブロック４０に配設したロッド４６と協働する。横材３２８は、図４２、４３に示す構造に似たほぼトラス形状パターンを形成する。このように補強要素を変えることができ、変えた場合も、先に説明したように、ブロック４０及びコナーブロックと協働する比較的剛性の安定要素を与えることが理解される。
【００８６】
　図４５及び４６は、先に説明したキャップブロック構造の代替例を示す。図４５において、キャップブロックの底面は、正面ブロック４０と実質的に同一の形状である。従って、キャップブロック３４０は、先に説明した方法で補強要素と協働するように構成した座堀７０、７２を有する。しかしながら、キャップブロック３４０を通る通路は、ブロック全体を通るわけではない。従って、図４６に示すように、キャップブロック３４０は、先に説明したように座堀７２、７０を有する。鉄筋４６のための通路、即ち、通路３４２、３４４はブロック３４０を部分的に通るように延伸する。同様に、通路３４６は、キャップブロック３４０を部分的に通るように延伸する。このように、キャップブロック３４０は、上面に開口を有しないキャップを形成する。図４５、４６に示すキャップブロック３４０は、テーパーがついているので、壁の頂部に置かれたとき、側部にすきまができる。従って、図４５に破線で示すように、キャップブロックを直方体形状にすることが適当であり、かつ、望ましい。あるいは、ブロック３４０間のスペースをモルタル又は盛土の土若しくはその他の充填物で埋めることとしてもよい。
【００８７】
　　代替壁構造
　次に図４７に更に発明の別の実施例を示す。この実施例においては、正面ブロック４００は、側面４０４、４０６を隠す前面４０２と、後面４０８を有する。前面４０２は、先に説明したように表面仕上げしたものその他とすることができる。一連の座堀４１０、４１１、４１２が平行に配設され、これらは前面に近いところから後面まで延伸する。一連の座堀４１０、４１１、４１２は平行であり、図４８に示す底面４１４又は図４８に示す上面４１６に形成される。座堀４１０、４１１、４１２は、前面の近くに形成され前面と平行に横方向に延伸する横座堀４１８とほぼ直角に交わる。垂直座堀４２０、４２２がブロック４００を貫通しており、横座堀４１８と交わる。
【００８８】
　壁を築造するためブロック４００を連続して水平な段に設置する。従って、ブロック４００は段に積まれた水平層を形成する。ブロック４００は好ましくは互いにオーバーラップする。即ち、垂直方向に隣接するブロックがオーバーラップする。貫通孔４２０、４２２は、好ましくは、先に説明したモジュール配列のように配列される。即ち、貫通孔４２０と４２２との間隔は、前面４０２の幅の半分に等しい。貫通孔４２０、４２２は、垂直側縁から前面に添って両側縁の間の前面の幅の１／４の距離だけ内側に配設される。このように、貫通孔４２０、４２２は、垂直方向に隣接して互いにオーバーラップする正面ブロック４００を連結するための図４８に示すコネクタピンあるいはコネクタロッド４２４を受ける通路となる。
【００８９】
　配列された正面ブロック４００と協働するものは、前面４０２の近くから後面４０８の背後の締固めた土４２９の内部まで延伸するテンションアーム又はテンション部材４２８を備える連続するワイヤメッシュ又はワイヤシースである。横材４３０は複数のテンション部材４２８を相互連結する。外側の横材４３２はテンションアーム又はテンション部材４２８を連結し、かつ、横座堀４１８内に納まる。横部材４３２は正面ブロック４００の横座堀内を延伸する。このように、正面ブロック４００は剛性の横材４３２によって相互連結される。一般的に、横材４３２は図４８に示すようにテンション部材４２８に溶接される。
【００９０】
　これに代えて、図４８に示すように、テンションアーム４２８の端部４３６をループ状に形成して横座堀４１８内に保持することとしてもよい。次に横棒４３８を端部ループ４３６に挿入し、この横棒によりロッド４２８をブロック４００内に保持する。図４８においては座堀４１０の位置を垂直上方及び垂直下方の両方に示していることに留意されたい。本発明の構成要素を用いた壁を築造するときは、いずれかの位置が用いられる。
【００９１】
　図４９は本発明の別の変形例を示す。図４９の平面図に示すように、正面ブロック４５０は、前面（正面）４５２、後面（背面）４５４、側面４５６、４５８、及び前面４５２の近くから後面４５４まで延伸する平行な座堀４６０、４６２、４６４を含む。横座堀４６６は側面４５６と４５８の間を延伸する。座堀４６０、４６２、４６４、４６６をブロック４５０の平行な上下面のいずれかに設けた結果、テンション部材４６８及び横材４７０を有する格子状ワイヤを受ける一連の溝が与えられる。この特別な構造は、正面ブロック４５０垂直方向に連結する部倍を特に用いることなく低い重力型の壁を築造するのに利用できる。
【００９２】
　図５０は、ブロック４５０の座堀４６０、４６６によって形成された溝内の格子状ワイヤの位置を断面にて示す。図５１は、格子状ワイヤの代替構造を示す。テンション部材４７２を用いる。ループ４７４をテンション部材４７２の端部に形成し、横棒４７６をループ内に嵌入する。この構成は、図４９及び５０において説明した方法と同様な方法で座堀４６０、４６６内に納まる。
【００９３】
　図５２、５３、５４及び５５は、順次内側にオフセットする正面ブロック５５０の水平な段を用いる壁構造の別の変形例を示す。図５２に示すように、ブロック５５０は、その後面５５３に隣接する位置で下部にぶら下がるリップ５５２を有する。ブロック５５０は、また、第１のセットの垂直貫通孔５５４と、該第１のセットの垂直貫通孔５５４の後ろに位置する第２のセットの垂直貫通孔５５５とを有する。図５３に示すように、貫通孔５５４、５５５は座堀５５６内に位置するように配設され、前面５５１と後面５５３との間で前後に配設されている。ここで説明するブロックには、重量を減じるための貫通孔５５８を設けることができる。
【００９４】
　いずれの場合も、ブロック５５０と協働するリップ５５２は、水平なブロック段が積まれる際に各段をオフセットするために必要である。リップ５５２によるオフセットは、垂直貫通孔５５４と５５５との中心間距離に等しい。この構成において、垂直ピン又はロッド５６２をブロック５５０の第１の貫通孔５５４に挿入してその下の段のブロックの第２の間通孔５５５に嵌入する。これによりブロック間どうしをロックし、また、要素５６４のような水平補強要素を正規位置に保持する。補強要素５６４は図１４において説明した補強要素と同様であり、ここで説明する色々なタイプの補強要素はブロック５５０と組み合わせて使用することができる。
【００９５】
　図５４に示すように、ブロック５７０に座堀５７２と横座堀５７４とを設けて、これらの座堀を図４７及び４９に関して先に説明したワイヤメッシュと同様なワイヤメッシュ５７６を協働させることとしてもよい。正面ブロック５７０はブロックをオフセット用の下がりリップ又はリブ５７７を有し、かつ、重量を減らすための中央貫通開口５８０を備えることとしてもよいことに留意されたい。ブロック５７０の側壁５７９、５８１は種々のカーブをなしながら傾斜して側壁間の距離が小さくなるように構成できることにも留意されたい。しかしながら、こういったカーブはブロック５７０の追加的な特徴である。
【００９６】
　図５６、５７は正面ブロック構造の変形例を示し、ここでは、正面ブロック５９０は、水平オフセットを形成するための登り（立ち上がり）リップ５９２をブロック５９０の正面縁上に備える。ブロック５９０に座堀５９４と横座堀５９６とを設けて、これらの座堀をここで説明し方法でメッシュ５９８又は６００のようなメッシュと協働させることとしてもよい。
【００９７】
　図５８、５９は、壁ブロック及び壁構造の更に別の変形例を示す。ここではほぼ平坦な前壁４８２、後壁４８４及び側壁４８６、４８８を有するタイプの標準的な乾式設置コンクリートブロック４８０が上面４９０及び貫通孔４９２、４９４を備える直方体形状で設置される。テンション部材４９６と横部材４９８とを備えるワイヤメッシュが垂直鉄筋５００によってブロック４８０の上面４９０に保持されている。鉄筋５００は、上下ブロック４８０の貫通孔４９２、４９４が重なる限り、上下の隣接ブロック４８０を通って延伸することができる。鉄筋５００は一般的な棒鋼である。充填材料は土や磔を使用できる。これに代えて、貫通孔にコンクリート又はモルタルを充填することとしてもよい。棒５００は横棒４９８を把持又は保持する。ブロック４８０の各段はモルタルによってジョイントされ、このジョイント部でテンション部材４９６を受ける。
【００９８】
　側面図５９は、格子状ワイヤのブロック４８０への連結構造の代替構造を示す。図５９の上部は、図５８に関して説明した構造を有する。これに代えて、テンション部材４９６はループ状の端部５０４を有する。ループ状端部５０４は横棒５０５と接触する。もう１つの別の代替構造として、図５９の補強要素５０６を図６０に詳細に示し、この補強要素は、図１４に示すものと実質的に同じである。換言すれば、多様なタイプの補強要素を図５８、５９に示すブロック構造４８０と組み合わせて用いることができるということである。もちろん、図６０に示すような構造の場合も含み、この場合は、ブロック４８０は、補強要素５０６、及びブロック４８０の貫通孔４９２のような貫通孔を充填するコンクリートに埋め込まれる垂直鉄筋５００と協働する。
【００９９】
　次に図６１、６２、６３、及び６４に言及し、ここでは、本発明の概念を場所打ち控え壁に適用する。図６１に積み重ねられて順次セットバックするブロック段として構成される一連の正面ブロック６２０を有する壁を示す。ブロック６２０は先に説明したいずれのタイプの構造のものであっていもよい。たとえば、図２に関して説明したブロックを図１４に示すタイプの補強部材６２２と共に用いることができる。補強部材６２２はテンションアーム６２４、６２６を含み、これらのアームは、先に説明した垂直ピン部材と協働するため先に説明した態様で貫通孔内に納めされる。図６１に示すように、補強要素６２２は、水平方向に隣接するブロック６２０を連結するために用いられ、あるいは、そういったブロック６２０の１つに連結される。補強要素６２２は、ブロック６２２の後面から隔てたところに連結用の横部材６２８を有する。
【０１００】
　控え壁を築造するため、一連の補強要素６２２を図６２に示す態様で垂直方向に重ねて配列する。全体的に組み立てられたものは、プレキャストフーチング６３０上に載置することが好ましい。このフーチング６３０は、フーチング６３０から上方に突出し、かつ、補強要素６２２を形成するループ又は棒の間に保持される鉄筋６３２を有する。図６１乃至６４の控え壁構造において、上方の場所打ち控え壁材の中まで延伸する垂直鉄筋６３２を配筋することが好ましく、この垂直鉄筋６３２を好ましくは場所打ちフーチング６３０に連結する。
【０１０１】
　図６３、６４に示す型枠６３４のようなコンクリート型枠を補強要素６２２上に載置し、かつ、正面ブロック６２０の後面に当てる。型枠６３４は、後壁６３１、側壁６３３、６３５、及びブロック係合端６３７、６３９を有する。場所打ち控え壁６３８のコンクリートを次に打設する。型枠６３４の幅は控え壁６３３を提供する正面ブロック（６２０）１つの幅と同じにしてもよいし、あるいはブロック（６２０）１つ以上の幅としても良い。正面ブロック（６２０）が垂直方向に隣接するブロックにオーバラップする限り、図６３の型枠６３４は、事実、控え壁を構成する１つのブロック及びこのブロックの上下の隣接ブロックに係合し、かつ、これらのブロックと協働する。
【０１０２】
　説明を付け加えると、正面ブロック６２０は先に説明したすべてのタイプの補強要素及びアンカー要素と相互作用するし、これらの補強要素及びアンカー要素と共に用いることができる。例えば、はしご形の補強要素６４０は、テンションロッド６４２と、ほぼ平行なテンションロッド６４２を横切って該テンションロッド間の幅よりも長く延伸する横材６４４とを備えることとしてもよい。この補強要素は、また、図６１に示すように、複数の横材６５４を付設した一本のテンションアーム６５２を備える部材としてもよい。
【０１０３】
　ブロック６２０と組み合わせて用いるいま１つ別の形状の補強要素を図６１に示す。特に、１又はそれ以上のコンクリートブロック６５８を端から端へと正面ブロック６２０の後面に連結する。金属性クリップその他のファスナー６６０により図示のとおりブロック６５８を連結する。
【０１０４】
　このように、多様な構造形態がある。本発明は、従って、多くの変形例を有し、かつ、以下の請求項及びそれに同等なものに限定される。
【図面の簡単な説明】
【０１０５】
　以下の詳細な説明は次の図面に言及してなされる。
【図１】図１は、種々の代替要素を取り入れた本発明のモジュールブロック擁壁構造体の実施例の、一部を断面で示した、斜視図。
【図２】図２は、本発明の擁壁構造に用いる改良された標準的なモジュール壁ブロックの斜視図。
【図３】図３は、図２のモジュールブロックと組み合わせて用いられ、摩擦力やアンカー作用によって土或は粒子と協働し相互作用をなす土補強要素或はアンカー要素の斜視図である。
【図４】図４は、図２の壁ブロック及び図３の土補強要素と協働して本発明の改良擁壁を築造する際に用いられる典型的なアンカーロッドの斜視図。
【図４Ａ】図４Ａは、図４のロッドの代替構造の斜視図。
【図５】図５は、図２のブロックの底面図。
【図６】図６は、図５のブロックの背面図。
【図７】図７は、図５のブロックの側面図。
【図８】図８は、図５のブロックに対照されるコーナブロックの平面図。
【図９】図９は、図８のブロックの背面図。
【図１０】図１０は、図８のブロックの側面図。
【図１１】図１１は、代替コーナブロック構造の平面図。
【図１２】図１２は、図１１のブロックの背面図。
【図１３】図１３は、図１１のブロックの側面図。
【図１３Ａ】図１３Ａは、コーナブロックの代替貫通孔形状を示す平面図。
【図１４】図１４は、図３に示すタイプの典型的な土補強要素或は構成要素。
【図１５】図１５は、代替土補強要素の構成要素の平面図。
【図１５Ａ】図１５Ａは、図１５の要素の代替構成要素の斜視図。
【図１６】図１６は、図２に示すタイプのブロックに組み合わせた図１４に示す要素の底面図。
【図１７】図１７は、可撓性のジオテキスタイル（安定用繊維）及び図２に示すタイプのブロックと組合わせた図１６に示す構成要素或は要素の底面図。
【図１８】図１８は、図２のモジュール壁ブロック及び図８に示すようなコーナブロック、並びに、その他の構成要素及び要素からなる擁壁の正面図。
【図１９】図１９は、図１８の擁壁のほぼ１９−１９線に添った断面図。
【図２０】図２０は、図１８の擁壁の２０−２０線に添った断面図。
【図２１】図２１は、図１８の擁壁のほぼ２１−２１線に添った垂直断面図。
【図２２】図２２は、図１７に示すタイプの組み合わせの側面図。
【図２３】図２３は、図１６に示すタイプの要素の組み合わせの側面図。
【図２４】図２４は、外外側に湾曲するようにモジュールブロックを並べた擁壁構造の平面図。
【図２５】図２５は、内側に湾曲するように並べたモジュールブロックの平面図。
【図２６】図２６は、本発明による典型的な擁壁の正面図。
【図２７】図２７は、すべりジョイントの形成を示す本発明の擁壁の拡大正面図。
【図２８】図２８は、図２７の擁壁のほぼ２８−２８線に添った断面図。
【図２９】図２９は、図２７の擁壁のほぼ２９−２９線に添った断面図。
【図３０】図３０は、本発明のモジュール正面ブロックであって、最初に一組の正面ブロックとして型の中に乾式設置される擁ブロックの底面図。
【図３１】図３１は、図３０と同様な底面図であり、図３０の打ち込まれたブロックが一対の別のモジュール擁壁ブロックとなるように分離される方法を示す図。
【図３２】図３２は、コーナブロックの打ち込み成形の平面図。
【図３３】図３３は、図３２のコーナブロックの分割又は分離された後の状態を示す平面図。
【図３４】図３４は、コーナブロックの代替設置配列の平面図。
【図３５】図３５は、分離された図２４のコーナブロックの平面図。
【図３６】図３６は、キャップブロックを備える壁構造の正面図。
【図３６Ａ】図３６Ａは、コーナ部を形成するキャップブロックの平面図。
【図３７】図３７は、代替土補強要素の斜視図。
【図３８】図３８は、代替土補強要素及び壁ブロック構造の底面図。
【図３９】図３９は、別の代替土補強要素及び壁ブロック構造の平面図。
【図４０】図４０は、アンカータイプの補強要素を用いた代替壁構造の側面図。
【図４１】図４１は、図４０の壁構造の４１−４１線に添った底面図。
【図４２】図４２は、代替補強要素構造の平面図。
【図４３】図４３は、別の代替補強要素構造の平面図。
【図４４】図４４は、別の代替補強要素構造の平面図。
【図４５】図４５は、代替キャップブロック構造の底面図。
【図４６】図４６は、図４５の代替キャップブロック構造の４６−４６線に添った断面図。
【図４７】図４７は、モジュール擁壁ブロック及び剛性グリッドを用いた代替構造の水平断面図。
【図４８】図４８は、図４７の構造の側面断面図。
【図４９】図４９は、モジュール擁壁ブロックにワイヤグリッドを組合わせた代替構造の平面断面図。
【図５０】図５０は、図４９の構造の側面断面図。
【図５１】図５１は、図５０の構造の代替構造の側面断面図。
【図５２】図５２は、図５０の構造の更に別の代替構造の側面断面図であり、代替擁壁ブロック構造を示す図。
【図５３】図５３は、図５２の構造の平面断面図。
【図５４】図５４は、図５２に示す代替構造の側面断面図。
【図５５】図５５は、図４９の構造と同様な代替擁壁（正面）ブロック構造を示す代替構造の平面断面図。
【図５６】図５６は、異なる形状の擁壁ブロックを用いた代替構造の側面断面図。
【図５７】図５７は、図５６の構造に用いられる擁壁ブロックの平面図。
【図５８】図５８は、モジュール擁壁ブロックにワイヤメッシュを組合わせた更に別の代替構造の平面断面図。
【図５９】図５９は、図５８に示すワイヤメッシュとブロックを組合わせた種々の側面断面図。
【図６０】図６０は、図５８に示す構造の更に別の変形例の平面図。
【図６１】図６１は、引張（テンション）アーム及び引張部材を擁壁ブロック、種々のコネクタピン及び場所打ち控え壁と組み合わせた本発明の別の実施例の平面断面図。
【図６２】図６２は、図６１に示す構造の側面断面図。
【図６３】図６３は、図６１に示す構造と同様な場所打ち控え壁の代替設計及び形状を示す平面図。
【図６４】図６４は、図６３の形状の側面図。
【符号の説明】
【０１０６】
４２　　補強（安定化）要素
１４０　バー（第１引張部材）
１４２　バー（第２引張部材）
１５２　横材
【図１】
2004132174.tif 000003
【図２】
2004132174.tif 000004
【図３】
2004132174.tif 000005
【図４】
2004132174.tif 000006
【図４Ａ】
2004132174.tif 000007
【図５】
2004132174.tif 000008
【図６】
2004132174.tif 000009
【図７】
2004132174.tif 000010
【図８】
2004132174.tif 000011
【図９】
2004132174.tif 000012
【図１０】
2004132174.tif 000013
【図１１】
2004132174.tif 000014
【図１２】
2004132174.tif 000015
【図１３】
2004132174.tif 000016
【図１３Ａ】
2004132174.tif 000017
【図１４】
2004132174.tif 000018
【図１５】
2004132174.tif 000019
【図１５Ａ】
2004132174.tif 000020
【図１６】
2004132174.tif 000021
【図１７】
2004132174.tif 000022
【図１８】
2004132174.tif 000023
【図１９】
2004132174.tif 000024
【図２０】
2004132174.tif 000025
【図２１】
2004132174.tif 000026
【図２２】
2004132174.tif 000027
【図２３】
2004132174.tif 000028
【図２４】
2004132174.tif 000029
【図２５】
2004132174.tif 000030
【図２６】
2004132174.tif 000031
【図２７】
2004132174.tif 000032
【図２８】
2004132174.tif 000033
【図２９】
2004132174.tif 000034
【図３０】
2004132174.tif 000035
【図３１】
2004132174.tif 000036
【図３２】
2004132174.tif 000037
【図３３】
2004132174.tif 000038
【図３４】
2004132174.tif 000039
【図３５】
2004132174.tif 000040
【図３６】
2004132174.tif 000041
【図３６Ａ】
2004132174.tif 000042
【図３７】
2004132174.tif 000043
【図３８】
2004132174.tif 000044
【図３９】
2004132174.tif 000045
【図４０】
2004132174.tif 000046
【図４１】
2004132174.tif 000047
【図４２】
2004132174.tif 000048
【図４３】
2004132174.tif 000049
【図４４】
2004132174.tif 000050
【図４５】
2004132174.tif 000051
【図４６】
2004132174.tif 000052
【図４７】
2004132174.tif 000053
【図４８】
2004132174.tif 000054
【図４９】
2004132174.tif 000055
【図５０】
2004132174.tif 000056
【図５１】
2004132174.tif 000057
【図５２】
2004132174.tif 000058
【図５３】
2004132174.tif 000059
【図５４】
2004132174.tif 000060
【図５５】
2004132174.tif 000061
【図５６】
2004132174.tif 000062
【図５７】
2004132174.tif 000063
【図５８】
2004132174.tif 000064
【図５９】
2004132174.tif 000065
【図６０】
2004132174.tif 000066
【図６１】
2004132174.tif 000067
【図６２】
2004132174.tif 000068
【図６３】
2004132174.tif 000069
【図６４】
2004132174.tif 000070